(57)【要約】【解決手段】ＩＰ能力が無いにもかかわらず、ＩＰを使用するインフラストラクチャ構成要素と通信する無線電話（１２）。インフラストラクチャ構成要素（１６）は、無線電話に、電話の位置に基づいて一時的ＩＰアドレスを割当て、次に、無線電話から、ＩＳ−９５  ＣＤＭＡパケットのような、無線（ＯＴＡ）音声プロトコルパケットをＩＰパケットに変換する。ＩＰパケットはインフラストラクチャを介して別の通信装置（３４）に送信される。今度は、通信装置からの音声通信を表すＩＰパケットはインフラストラクチャを介して送信され、ＯＴＡパケットに変換され、無線電話に送信される。【選択図】図１
2004535727.tif 000002
【特許請求の範囲】
【請求項１】
下記を具備する、インターネットプロトコル（ＩＰ）においてインフラストラクチャ内で通信するインフラストラクチャ内の無線通信（ＯＴＡ）プロトコルを用いた無線通信装置をページングするための方法：
前記通信装置を、少なくとも一部分前記通信装置のロケーションに基づいて、一時ＩＰアドレスと関連づける；および
ページメッセージを前記一時ＩＰアドレスに送ることにより、前記通信装置をページングする。
【請求項２】
前記一時ＩＰアドレスは前記インフラストラクチャの基地局に割当てられる、請求項１の方法。
【請求項３】
前記基地局はバーチャネルＩＰエンドポイントを確立し、前記ページメッセージは前記基地局において受信される、請求項２の方法。
【請求項４】
前記バーチャネルＩＰエンドポイントは、索表を引き受け、前記一時ＩＰアドレスを前記通信装置と相関させる、請求項３の方法。
【請求項５】
前記一時ＩＰアドレスは２以上のバーチャネルＩＰエンドポイントに割当てられたマルチキャストアドレスである、請求項３の方法。
【請求項６】
前記ページメッセージを前記通信装置に送信するために、各ＩＰエンドポイントが前記ページメッセージを受信するように前記ページメッセージが前記マルチキャストアドレスに送信される、請求項５の方法。
【請求項７】
単一マルチキャストアドレスは、複数の通信装置と関連づけられている、請求項６の方法。
【請求項８】
前記ＯＴＡプロトコルは、符号分割多元接続（ＣＤＭＡ）プロトコルである、請求項１の方法。
【請求項９】
下記を具備する、通信システム：
前記システム内の少なくとも１つの無線エンドポイント；
インフラストラクチャサポートＩＰ、前記インフラストラクチャは、前記無線エンドポイントと通信するバーチャルＩＰエンドポイントを含み、前記バーチャルＩＰエンドポイントは、前記バーチャルＩＰエンドポイントに割当てられ，前記無線エンドポイントにより受信されるように意図されたＩＰアドレスを有するページメッセージを受信し、前記バーチャルＩＰエンドポイントは前記ページメッセージを前記無線エンドポイントに供給する。
【請求項１０】
前記ページメッセージが前記バーチャルＩＰエンドポイントにアドレスすることができ、前記無線エンドポイントに送信されるように、前記インフラストラクチャはＩＰアドレスを前記バーチャルＩＰエンドポイントに割当て、前記ＩＰアドレスを前記無線エンドポイントに相関させる、請求項９のシステム。
【請求項１１】
前記バーチャルＩＰエンドポイントは、索表を引き受け、前記ＩＰアドレスを前記無線エンドポイントに相関させる、請求項９のシステム。
【請求項１２】
前記ＩＰアドレスは、２以上のバーチャルＩＰエンドポイントに割当てられたマルチキャストアドレスである、請求項９のシステム。
【請求項１３】
各ＩＰエンドポイントは、前記無線エンドポイントに送信するために前記ページメッセージを受信するように、前記ページメッセージが前記マルチキャストアドレスに送信される、請求項１２のシステム。
【請求項１４】
単一マルチキャストアドレスは、複数の無線エンドポイントと関連づけられ、追跡要件を簡単化する、請求項１３のシステム。
【請求項１５】
下記を具備するコンピュータプログラムプロダクト：
少なくとも１つのＩＰアドレスを、ＩＰベーステレフォニインフラストラクチャ内の少なくとも１つのバーチャルＩＰエンドポイントに割当てる手段；
少なくとも一部分、前記通信装置の地理的位置に基づいて、少なくとも第１の無線通信装置を前記ＩＰアドレスと関連づけ、それにより、前記通信装置は、前記ＩＰアドレスにアドレスされた前記インフラストラクチャを介してページメッセージを送信することにより、ページングできる手段。
【請求項１６】
前記ＩＰエンドポイントにアクセス可能であり、ＩＰアドレスに基づいて電話ページメッセージの受信を確実にするのに有効な少なくとも１つの表をさらに具備する、請求項１５のプロダクト。
【請求項１７】
前記割当てる手段は、前記ＩＰアドレスを唯一のＩＰエンドポイントに割当てる、請求項１５のプロダクト。
【請求項１８】
前記割当てる手段は、前記ＩＰアドレスを２以上のＩＰエンドポイントに割当てる、請求項１５のプロダクト。
【発明の詳細な説明】
【技術分野】
【０００１】
発明の背景
１．発明の分野
この発明は、無線電話インフラストラスチャおよびサポートされているいずれかのＶＯＩＰベースインフラストラクチャとの間のＩＰベース通信を用いて、インターネットプロトコル（ＶＯＩＰ）を介して音声をサポートする必要が無い、またはそれにもかかわらず一般的にＩＰ構造またはＩＰアーキテクチャを使用する無線電話インフラストラクチャと通信する無線電話を一般的に可能にすることに関する。
【背景技術】
【０００２】
２．発明の背景
これに限定されるわけではないが、符号分割多元接続（ＣＤＭＡ）スペクトル拡散変調技術を用いて通信する無線電話のような無線電話は、例えば、ＩＳ−９５Ａ、ＩＳ−９５Ｂ、およびＩＳ−２０００として知られるＣＤＭＡプロトコルである、無線通信プロトコルを介した無線電話を用いたシステムインフラストラクチャと、空中を介して通信する。基地局（ＢＴＳ）、基地局コントローラ（ＢＳＣ）および他の構成要素を含むことができるシステムインフラストラクチャは、無線電話を、スルーランドライン(through land line)または他の無線通信システムのような他の通信システムと接続する。
【０００３】
ＣＤＭＡの場合、音声データは、インフラストラクチャにより集められたパケットで、空中を介して送信され、互いに話をしている話者に意識させないで、音声ストリームに組み立てられる。当然のことだが、無線プロトコルは、無線通信を最適化するように調整される。例えば、無線容量を最大にするために、無線プロトコルは、最小のシグナリング情報を含み、音声データパケットのサイズは相対的に小さい。
【０００４】
インターネットの発展とともに、インターネット（ＩＰ）プロトコルを用いたコンピュータ同士の通信はユビキタスになった。さらに、ＩＰを用いてコンピュータデータ通信を容易にするだけでなく、同様にＩＰを用いた音声通信を容易にすることが望ましくなった。テレフォニインフラストラクチャにおいて、ＩＰを用いて提供される利点はいろいろあるがその１つとして、スイッチのような多くのハードウエアを除去することができ、その代わりに既存のコンピュータおよびソフトウエアを使用することができ、コストを下げる。この目的のために、いわゆるＩＰを利用して音声を伝送する装置（ＶＯＩＰ）が導入された。
【０００５】
ＶＯＩＰをサポートするために、数ある要求の中で、通信装置はＩＰ能力を持たなければならない、すなわち、装置は、自分自身がＩＰを用いて通信することができなければならず、そして、その装置はＩＰアドレスを持たなければならない。
【発明の開示】
【発明が解決しようとする課題】
【０００６】
しかしながら、この発明は、ＶＯＩＰを用いるために無線電話を必要とすることは無線能力を軽減するということを認めることには批判的である。何故ならＶＯＩＰは必ずしもそのような能力を最大にするように設計されていないからである。そのかわり、ＶＯＩＰは、必ずしも無線テレフォニに関連しない設計の検討の対策を取る。一例として、ＶＯＩＰのデータパケットサイズは、ＩＳ−９５のような無線プロトコルを用いた無線電話におけるような無線通信業界全体において使用されるパケットサイズに比べて相対的に大きい。実際、ＩＳ−９５プロトコルにおける典型的なパケットサイズは、典型的なＩＰにおいて採用される単一パケットヘッダのサイズ未満である。さらに、ＩＰおよび無線プロトコルを用いた無線電話通信を構成することは、電話の設計を複雑にし、利用可能な資源（例えば、電力、コンピューティングサイクル(computing cycle)、符号化、等）に、悪影響を与えて酷使し、コストを増大させる。
【０００７】
それにもかかわらず、この発明は、ＩＰ原理に従ってデータを送信するインフラストラクチャを用いた無線電話通信を可能にすることが望ましいであろうと理解する。上述の考察を考慮して、この発明は、以下に開示した解決法を提供する。
【課題を解決するための手段】
【０００８】
インターネットプロトコル（ＩＰ）内のインフラストラクチャの範囲内で通信するインフラストラクチャにおいて、無線（ＯＴＡ）プロトコルを用いた無線電話をページングするための方法は、電話を、少なくとも一部分電話のロケーションに基づいて一時的ＩＰアドレスに関連づけることを含む。移動通信装置への通信のための要求は「ページメッセージ」により意味される。
【０００９】
好適実施形態において、一時ＩＰアドレスは、インフラストラクチャ内の基地局に割当てられる。基地局は、バーチャルＩＰエンドポイントを確立し、ページメッセージは、基地局において受信される。バーチャルＩＰエンドポイントは、索表を引き受け、一時ＩＰアドレスを電話と相関させる。一実施形態において、一時ＩＰアドレスは、ページメッセージがマルチキャストＩＰアドレスに送信され、そして各ＩＰエンドポイントがそのページメッセージを電話に送信するために受信するように、２以上のバーチャルＩＰエンドポイントに割当てられたマルチキャストアドレスである。単一ＩＰマルチキャストアドレスは、追跡要件を簡単化するために複数の無線電話に関連づけることができる。
【００１０】
「マルチキャスト」アドレスは、例えば、ＳＩＰマルチキャストアドレス、またはＩＰマルチキャストアドレスまたはＨ．３２３マルチキャストアドレスであり得る。さらに、「マルチキャスト」アドレスは、個々の基地局アドレスの集合グループまたは一組であり得、無線装置は、そのグループまたは一組のいずれか１つと応答するように構成される。
【００１１】
例えば、ＩＰアドレスのプール(pool)は、もっぱらページングのために保存することができる。そのようなシステムにおいて、各基地局は、ページングの目的のために、アイドル状態にある無線装置に割当てるためのＩＰアドレスを保存する。一例として、形式Ｘ．Ｘ．Ｘ．Ｘ．（但し、Ｘは、それぞれのバイトを表す）からのＩＰアドレスにおいて、第３バイトに「０１」を有するＩＰアドレスは、ページングのために保存されるかもしれない。この例において、基地局がＸ．Ｘ．０１．Ｘを有する無線装置を登録するなら、以下に記載するＳＩＰサーバーは、その装置に対するいかなる入力呼は、Ｘ．Ｘ．０１．Ｘアドレスを使用しているすべての基地局にメッセージを送る必要があるであろうことを知るであろう。このようにして、複数のユニキャストメッセージを発行することにより、マルチキャストページが必須的に得られる。
【００１２】
他の観点において、電話システムは、これらに限定されないが、携帯電話およびＩＰをサポートするインフラストラクチャのような、少なくとも１つの無縁エンドポイントを含む。インフラストラクチャは、これに限定されるわけではないが、無線エンドポイントと通信する基地局のようなバーチャルＩＰエンドポイントを含む。バーチャルＩＰエンドポイントは、バーチャルＩＰエンドポイントに割当てられたＩＰアドレスを有し、無線エンドポイントにより受信されるように意図されたページメッセージを受信する。この観点によれば、バーチャルＩＰエンドポイントは、ページメッセージを無線エンドポイントに供給する。
【００１３】
さらに、他の観点において、コンピュータプログラムプロダクトは、少なくとも１つのＩＰアドレスを、ＩＰベーステレフォニインフラストラクチャにおける少なくとも１つのバーチャルＩＰエンドポイントに割当てるためのロジック手段を含む。ロジック手段は、少なくとも第１の無線電話を、少なくとも一部分、その電話の地理的位置に基づいたＩＰアドレスに関連づけるために提供される。この発明を用いて、電話は、そのＩＰアドレスにアドレスされたインフラストラクチャを介したページメッセージを送信することによりページングすることができる。
【発明を実施するための最良の形態】
【００１４】
この発明の詳細は、その構造および動作の両方に関して、同一部に同符号を付した添付図面を参照することにより最善に理解することができる。
【００１５】
最初に図１を参照すると、一般的に１０で示される、インターネットプロトコルを介した音声（ＶＯＩＰ）をサポートしない目標無線通信装置１２と、ＩＰをサポートするテレフォニインフラストラクチャ１４との間の通信を実行するためのシステムが示される。「ＶＯＩＰをサポートしない」または「ＩＰをサポートしない」ということは、装置１２がＩＰまたはＶＯＩＰ能力を有していない、または、装置１２がそのような能力を有しているが、性能を改良するために、ＣＤＭＡ、またはＷＣＤＭＡ、またはこれらに限定されるわけではないが、ＴＤＭＡ、ＵＭＴＳ、ＴＤ−ＳＣＤＭＡ等のような他の無線プロトコルのようなスペクトル拡散スキームのような標準無線（ＯＴＡ）プロトコルを使用する。限定されない一実施形態において、装置１２は、符号分割多元接続（ＣＤＭＡ）原理およびＣＤＭＡ無線（ＯＴＡ）通信空中インターフェースを使用し、およびこれらに限定されないが、ＩＳ−９５Ａ、ＩＳ−９５Ｂ、ＵＣＤＭＡ、ＩＳ−２０００および、インフラストラクチャ１４と通信するための他のプロトコルにおいて規定されるようなプロトコルを含む、京セラ(Kyocera)、サムソン(Samsung)または他の製造業者により製造された携帯電話である。
【００１６】
例えば、上記したものを敷衍していうならば、この発明を適用できる無線通信システムは、パーソナル通信サービス（ＰＣＳ）およびアナログアドバンスト移動電話システム(Analog Advanced Mobile Phone System)(ＡＭＰＳ）および以下のデジタルシステム、すなわちＣＤＭＡ、時分割多元接続（ＴＤＭＡ）およびＴＤＭＡ技術およびＣＤＭＡ技術を使用するハイブリッドシステムのようなセルラシステムを含む。ＣＤＭＡセルラシステムは、米電子通信工業会(Telecommunications Industry Association)／米国の電子工業会(Electronic Industries Association)（ＴＩＡ／ＥＩＡ）規格ＩＳ−９５に記載されている。結合されたＡＭＰＳおよびＣＤＭＡシステムは、ＴＩＡ／ＥＩＡ規格ＩＳ−９８に記載されている。他の通信システムは、ワイドバンドＣＤＭＡ（ＷＣＤＭＡ）、（例えば、ｃｄｍａ２０００１ｘまたは３ｘのような）ｃｄｍａ２０００またはＴＤ−ＳＣＤＭＡと呼ばれる、国際移動テレコミュニケーションシステム２０００(the International Mobile Telecommunications System 2000)／ユニバーサル移動テレコミュニケーションシステム(Universal Telecommunications Systems)（ＩＭＴ−２０００／ＵＭ）に記載されている。
【００１７】
この発明は、いかなる無線通信システム１にも適用する；例として、装置１２は電話１２であると仮定されるであろう。一般に、この発明が適用される無線通信装置は、これらに限定されないが、無線送受話器または電話、携帯電話、データトランシーバ、またはページングおよび位置決定受信器を含めても良く、要望に応じて、ハンドヘルドまたは（車、トラック、ボート、飛行機、列車を含む）乗り物に搭載されるようなポータブルにすることができる。しかしながら、無線通信装置は一般的にモバイルであると見られるけれども、この発明は、いくつかの実施における「固定された」装置に適用することが出来ることが理解される。また、この発明は、デジタル化されたビデオ情報を含む音声および／またはデータ情報を転送するために使用されるデータモジュールまたはモデムに適用され、有線リンクまたは無線リンクを用いた他の装置と通信してもよい。さらに、モデムまたはモジュールに複数の通信チャネル上に情報を転送するために、よく調節されたまたは関連した方法で作動させるためのコマンドを用いてもよい。また、いくつかの通信システムにおいて、無線通信装置は時々、ユーザ端末、移動局、移動装置、加入者装置、移動無線または移動電話、無線装置、あるいは単に「ユーザ」および「モバイル」と呼ばれる。
【００１８】
図１に示すように、無線電話１２は、１つ以上の上述したシステムを用いて、この発明のロジックを実行するためのロジックモジュール１８にアクセスする少なくとも１つの第１のインフラストラクチャ構成要素１６と通信する。第１の構成要素１６は、望ましくは基地局（ＢＴＳ）であるが、基地局コントローラ（ＢＳＣ）、携帯電話システム向け交換機（ＭＳＣ）、衛星システムへのゲートウエイ、または他のインフラストラクチャ構成要素により実施することもできる。いずれにせよ、第１の構成要素１６は、無線装置１２と通信するために必要なプロトコルとシステムをサポートするだけでなく、ＩＰおよび局線プロトコル(attendant protocol)、またはＩＰプロトコルのスタックもサポートし、従って、ＢＳＣまたはＩＰを用いる他のＢＴＳのような調整インフラストラクチャ構成要素(coordinating infrastructure component)２０またはＩＰを用いた他のＢＴＳと通信する。次には、目標の無線電話１２が、同じインフラストラクチャ１４システムにおいて、第２の無線電話２２と通信しようとするとき、調整構成要素２０はＩＰを介して第２のＢＴＳのような第２のインフラストラクチャ構成要素２４と通信し、次に、第２のインフラストラクチャ構成要素は、ロジックモジュール２６を実行して、ＯＴＡプロトコルを用いて、第２の無線電話２２と通信する。
【００１９】
従って、インフラストラクチャ構成要素１６、２４は、ＯＴＡプロトコルを用いてそれぞれの無線電話１２、２２と通信するが、内部的にはＩＰを用いてインフラストラクチャ１４と通信する、それにより、無線電話１２、２２がＩＰおよびインターネットプロトコルでの音声のアテンダントスイート(attendant suite)をサポートしなければならないことから解放し、またはＩＰを実施するのに関連した何らかの処理、資源の利用をサポートしなければならないことから解放する。また、電話１２、２２およびそれぞれの構成要素１６，２４との間のインフラストラクチャ１４およびＯＴＡプロトコルに内部的にＩＰを使用することにより、インフラストラクチャ１４内部でＩＰを使用する利点は実現され、同様に、電話と無線通信するＯＴＡプロトコルの利点はシステム１０の無線能力を最大化するために保存される。従って、インフラストラクチャ構成要素１６，２４はバーチャルＩＰエンドポイントとして考えることができる。実際の通信エンドポイントは電話１２、２２である。
【００２０】
図１は、インフラストラクチャ１４外部の通信装置とも通信することができる目標無線電話１２とも通信することができる。特に、インフラストラクチャ１４は、技術的に知られた原理に従って、配位インフラストラクチャ構成要素２０および公衆交換電話網（ＰＳＴＮ）３２と通信するためのロジックモジュール３０を有したＶＯＩＰゲートウエイ２８を含むことができる。調整構成要素２０とＶＯＩＰゲートウエイ２８との間の通信はＩＰを介することができる。同様に、ＶＯＩＰゲートウエイ２８とＰＳＴＮ３２との間の通信は、ＳＳ７として知られるシステムのような物理システムを用いたＩＳＵＰのようなシグナリングプロトコルを介することができる。次に、ＰＳＴＮは、電話またはモデムのような１つ以上のランドライン装置３４を含み、目標無線電話１２とランドライン装置３４との間の通信経路を完了する。
【００２１】
さらに、目標無線電話１２は、パーソナルコンピュータ（ＰＣ）、データサーバ、イントラネットポータル、または他のコンピュータのようなインターネットベース通信装置３６と通信することができる。インターネットベース装置３６はＩＰを用いた調整インフラストラクチャ構成要素２０と通信する。
【００２２】
さらに、インフラストラクチャ１４は、インフラストラクチャ１４内の調整構成要素２０と、インフラストラクチャの外部にある無線通信システム４２と通信するためのロジックモジュール４０を有したインターフェース構成要素３８を含むことができる。例えば、インターフェース構成要素３８は、携帯電話システム向け交換機（ＭＳＣ）またはゲートウエイであり得る。インターフェース構成要素３８と調整構成要素２０との間の通信はＩＰを使用することができ、同様に、インターフェース構成要素３８と他の無線／セルラシステム４２との間の通信はＩＳ−４１プロトコルまたはＩＰを使用することができる。このアーキテクチャの上述の概要を考慮して、このロジックは、以下に議論するフローチャートに従って、図１に示すアーキテクチャ上で実行される。この中のフローチャートは、コンピュータプログラムソフトウエアにおいて具現化されるこの発明のロジックの構造を図解する。当業者は、フローチャートが、この発明に従って機能するコンピュータプログラムコードエレメントまたは電子ロジック回路のようなロジックエレメントの構造を図解することを理解するであろう。明らかに、この発明は、デジタル処理装置（すなわち、コンピュータ、コントローラ、プロセッサ、等）に、図示する機能ステップに対応するこれらのシーケンスを実行させることを命令する形式に、ロジックエレメントをさせる機械構成要素によりその必須の実施形態において実施される。
【００２３】
言い換えれば、このロジックは、一連のコンピュータ、または制御エレメント実行可能な命令群として、例えばインフラストラクチャ構成要素１６内のプロセッサにより実行されるコンピュータプログラムにより具現化してもよい。これらの命令群は、例えばＲＡＭ、またはハードドライブ上または光学ドライブ上、または、動的に変更または更新可能である他の適当なデータ記憶装置に存在してもよい。
【００２４】
次に、図２を参照すると、目標の無線電話が電話するときに実行されるロジックが示される。ステップ４４において、開始し、適切な無線プロトコルを用いた通信が、電話１２と第１の構成要素との間、すなわち、電話１２とこの発明のバーチャネルエンドポイントとの間で確立される。典型的な、非限定実施形態において、ステップ４４におけるプロセスは、例えば、ＩＳ−９５プロトコルにおいて、電話１２からＣＤＭＡプロトコル生起メッセージを受信することを含み、次に、それに応答して必須的に、技術的に知られた原理に従ってインフラストラクチャ１４内の第１の構成要素１６から他の適当なサーバー構成要素に送信することにより、生起メッセージをＩＰに変換することを含むことができる。これらのＳＩＰメッセージは、電話１２の位置を突き止めることができ、そして、意図した受信者のエンドポイントとの通信を確立することができる。受取人が第２の無線電話２２である場合に、ＩＰ通信は、構成要素１６、２４により確立されるバーチャルエンドポイント間で確立される。ステップ４６に進むと、インフラストラクチャ１４は、インフラストラクチャ１４内の上述したＩＰメッセ−ジングを用いて受信者装置に接続される。第２の無線電話２２が受信者である場合に、第２の構成要素は、ＯＴＡプロトコルメッセージを用いて電話２２との通信を確立する。それにひきかえ、受信者がインターネットベース通信装置３６、ＩＰ通信は、装置３６とインフラストラクチャ１４との間の技術的に知られた原理に従って確立される。他方、受信者がセルラシステム４２であるとき、インフラストラクチャ１４とＩＰまたは他の技術的に知られたプロトコル、例えばＩＳ−４１を用いたシステム４２との間で通信が確立される。さらに、ランドライン３４が交信すると、インフラストラクチャ１４と、ＩＳＵＰのような技術的に知られたプロトコルを用いてＰＳＴＮ３２との間で通信が確立される。また、図２に示すように、ＩＰアドレスは電話１２に割当てられる。どのようにして、ＩＰアドレスが割当てられるかの詳細は図４および図５を参照して以下に詳細に議論される。
【００２５】
一度、通信が確立されると、処理は、並列タスクステップ４８および５２を実行することができる。ステップ４８において、無線電話１２からのＯＴＡ音声パケットのようなＯＴＡパケットは変形されるか、そうでなければバーチャルＩＰエンドポイント、すなわち最初の構成要素１６において、ＩＰに変換される。この変換を行なうために、ＯＴＡ音声パケットの内容はＩＰパケット要件に一致するように、必要に応じて再配列される。典型的にＯＴＡ音声パケットはＩＰパケットより小さく、周波数はＩＰパケットのヘッダよりも小さいので、いくつかのＯＴＡパケットを単一のＩＰパケットに結合してもよい、但し、特に呼び出し時間が強調されるアプリケーションに対しては必ずしもそうではない。ステップ５２において、音声、デジタルデータ、デジタル画像データ、または他のタイプのデータを表すことができるＩＰ内の情報はインフラストラクチャ１４を介して受信者に送信される。
【００２６】
同様に、ステップ５２において、受信者装置により発生された情報を表すＩＰパケットはインフラストラクチャ１４を介して移動し、第１の構成要素、すなわち、バーチャルＩＰエンドポイントによりＯＴＡパケットに変換される。ＯＴＡパケットはステップ５４において、電話１２に送信される。ＩＰからＯＴＡプロトコルへの情報は、ＯＴＡパケットをＩＰパケットに変換するためのプロセスの逆である。すなわち、各ＩＰパケットは、電話１２により使用されるＯＴＡプロトコルに一致するように、必要に応じてより小さなＯＴＡパケットのセットに分離してもよい。
【００２７】
図３は、電話１２が交信されるとき、呼び出されるロジックを示す。ステップ５６において、開始すると、インフラストラクチャは、電話１２のための発呼要求を受信する。ステップ５８において、電話１２の位置は技術的に知られる位置決め原理、例えば、グローバルポジショニング衛星または周知のネットワーク技術に従って決定される。発呼要求は、ステップ６０において、ＩＰを介してバーチャルエンドポイント（すなわち、第１の構成要素１６）に送られる。
【００２８】
ステップ６２に移動すると、ＯＴＡプロトコル通信は電話１２を用いて確立される。次に、電話１２からのＯＴＡプロトコルパケットは、上述した原理に従って、ステップ６４および６６において、ＩＰに変換され、インフラストラクチャ１４を介して送信される。また、電話１２向けへの情報を表すＩＰパケットはＯＴＡプロトコルパケットに変換され、上述した原理に従って、ステップ６８および７０において、空中を介して、電話１２に送信される。
【００２９】
図４は、一時ＩＰアドレスを電話１２に割当てることにより、電話１２をページングするための１つの方法を示す。一般的に、「ページング」は「交信する」または「周期的に接続を確立する」ことを意味する。ステップ７２において接続すると、電話の位置は技術的に知られた原理に従って決定される。ステップ７４に移動すると、受信バーチャルＩＰエンドポイント（例えば、電話１２に最も近いＢＴＳ）に割当てられたＩＰアドレスは電話と関連する。このアドレスは、電話１２のアドレスとして、例えばテーブルルックアップフォームで、インフラストラクチャに記録される。「ＩＰアドレス」は、ＩＰパケットの対象とする受信者を識別するのに有効なアドレスを意味する。これは一般的なＩＰアドレス数字ストリングおよび／またはそのストリングに関連する英数字アドレスを含むことができる。一つの限定されない例において、英数字アドレスは、添付されたＩＰ識別子を有する電話の電話番号であり得る。例えば、5551212@qualcomm.com.である。特に、ＩＰアドレスは、電子シリアル番号のような無線装置識別子を含むことができる。
【００３０】
次に、ステップ７６において、電話１２が他のＢＴＳの領域に移動したとすると、処理はステップ７８に進み、新しいＢＴＳに割当てられたＩＰアドレスを電話１２と関連づける。いずれにせよ、発呼がその電話１２に対して受信されたとき、処理はステップ８０に進み、電話１２をページングする。既存のセルラインフラストラクチャプロトコルを用いてセルラ装置をページングするとき、ページメッセージは一般的に、ＭＳＣによりＢＴＳに供給される内容を含めても良い。これらの内容は、宛先無線電話１２識別装置を含んでも良く所望の通信に関して詳述する。ＢＴＳは、その次に、ＯＴＡページメッセージを電話１２に送信してもよい。
【００３１】
電話がページに応答すると、上述したように通信が確立され、電話１２の一時的ＩＰアドレスを用いて、インフラストラクチャ１４を介してＩＰ情報を送る。すなわち、電話１２に向けられた情報は電話１２のＩＰアドレスに関連づけられ、次に、ＯＴＡへの変換および電話１２への送信のためにバーチャルＩＰエンドポイントに送信される。
【００３２】
図４のロジックは高度に効率的なページングプロセスを供給するけれども、図５は、システム１０内の無線電話への一時的ＩＰアドレスの割当てを最小にし、それゆえ、無線電話にアドレスを割当てるために使用されなければならないメッセージの数を最小にするための方法である。ステップ８２において始まり、無線電話１２の位置が決定される。ステップ８４に進み、電話１２は、１つ以上のバーチャルＩＰエンドポイント、に割当てられたマルチキャストアドレス、例えば、ＢＴＳのグループに割当てられたアドレスまたは他のそのような構成要素、または個々のＢＴＳアドレスの集合であるＩＰアドレスに関連する。この実施形態において、ページメッセージは電話１２に関連するマルチキャストアドレスに送信される、すなわちマルチキャストグループ内の各ＢＴＳに送信される。次に、マルチキャストグループ内バーチャルエンドポイントは、ＯＴＡページを無線電話１２に送信し、インフラストラクチャ１４と無線電話１２との間で通信が確立される。
【００３３】
マルチキャストアドレスに送信されたページメッセージの内容は目標無線電話１２を特定するので、単一ＩＰマルチキャストアドレスは複数の無線電話に関連づけることができる、それにより、システム１０上での追跡要件を簡単化することができる。
【００３４】
上述したように、「マルチキャストアドレス」は、所望であれば、個々の基地局アドレスのグループであることができる。ページングが成功した後、電話１２には、データパケットが送られる、第２の固有のＩＰアドレスが割当てられる。ＩＰアドレスは発呼を処理するＢＴＳから割当てられる。
【００３５】
ここに示し、詳細に記載した特定の、ＩＰを介した音声のためのページングのためのシステムおよび方法は上述したこの発明の目的を完全に達成することができるけれども、これは、現在好適なこの発明の実施形態であり、従って、この発明により広範囲に意図される主題を表す。この発明の範囲は、当業者に明白である他の実施形態を含み、従って、この発明の範囲は、添付されたクレーム以外の何者によっても限定されない。１つだけのエレメントへの参照は、明示的にそのように述べた場合を除き、「一つおよび唯一」を意味することを意図するものではない。当業者に知られているまたは後に知られるようになる上述した好適実施形態のエレメントに等価なすべての構造および機能は参照することによりここに明示的に組み込まれ、現在のクレームにより含まれる。さらに、この発明により解決しようとするありとあらゆる問題を装置と方法が処理する必要はない、なぜならば現在のクレームにより保護されるからである。構成要件が明示的にフレーズ「ための手段」、または方法クレームの場合には、構成要件が「行為」の代わりに「ステップ」として記載されない限り、３５Ｕ．Ｓ．Ｃ．§１１２、第６パラグラフの定めるところに従って、解釈されない。
【図面の簡単な説明】
【００３６】
【図１】図１は、現在好適な発明の才のある無線通信システムのブロック図である。
【図２】図２は、無線装置が呼を確立し維持するとき、ＩＰイネーブルインフラストラクチャを用いて非ＩＰベース無線装置と通信するためのロジックのフローチャートである。
【図３】図３は、無線電話がかけられたとき、ＩＰイネーブルインフラストラクチャを用いて非ＩＰベース無線電話と通信するためのロジックのフローチャートである。
【図４】図４は、ＩＰアドレスを無線電話に割当てるための第１の方法のフローチャートである。
【図５】図５は、ＩＰアドレスを無線電話に割当てるための第２の方法のフローチャートである。
【図１】
2004535727.tif 000003
【図２】
2004535727.tif 000004
【図３】
2004535727.tif 000005
【図４】
2004535727.tif 000006
【図５】
2004535727.tif 000007
【国際公開パンフレット】
2004535727.tif 000008
2004535727.tif 000009
2004535727.tif 000010
2004535727.tif 000011
2004535727.tif 000012
2004535727.tif 000013
2004535727.tif 000014
2004535727.tif 000015
2004535727.tif 000016
2004535727.tif 000017
2004535727.tif 000018
2004535727.tif 000019
2004535727.tif 000020
2004535727.tif 000021
2004535727.tif 000022
2004535727.tif 000023
2004535727.tif 000024
2004535727.tif 000025
2004535727.tif 000026
2004535727.tif 000027
2004535727.tif 000028
2004535727.tif 000029
2004535727.tif 000030
2004535727.tif 000031
2004535727.tif 000032
2004535727.tif 000033
【国際調査報告】
2004535727.tif 000034